(57)【特許請求の範囲】
【請求項１】
建物に設けられた点検口の開口部を開閉可能に閉塞する蓋体によって閉塞した状態で封印する建物用点検口の封印構造であって、上記点検口が上記開口部に裏側フランジと表側フランジを備えた外枠が嵌め込まれ、上記蓋体に裏側フランジと表側フランジを備え、上記外枠の内側に嵌合する内枠が取り付けられた建物用点検口であり、上記封印構造が係合部列を備えたバンド部と該バンド部の基端に設けられたヘッド部とを備えたバンド部材と、該バンド部材の上記バンド部が挿通可能で、且つ上記ヘッド部が通り抜け不能な挿通孔が開設された第１挟持板材と、上記バンド部材の上記バンド部が挿通可能なバンド案内孔が開設された第２挟持板材と、上記バンド部材の上記バンド部が自由端側から挿通すると逆抜け不能に係合する係合孔が開設されたブロック体と、を備え、上記第１挟持板材が上記外枠と上記内枠との隙間に上記挿通孔が連通し、且つ上記外枠の上記裏側フランジと上記内枠の上記裏側フランジとに跨るように配設され、上記第２挟持板材が上記外枠と上記内枠との上記隙間に上記バンド案内孔が連通し、且つ上記外枠の上記表側フランジと上記内枠の上記表側フランジとに跨るように配設され、上記ブロック体が上記第２挟持板材の上記バンド案内孔に上記係合孔が連通し、且つ上記バンド部材の上記バンド部が上記バンド案内孔を経て自由端側から上記係合孔に挿通すると逆抜け不能となるように上記第２挟持板材の表面に配設され、上記バンド部材が上記第１挟持板材の上記挿通孔の裏側周縁部に上記ヘッド部が係止され、且つ上記バンド部の自由端側が上記ブロック体の上記係合孔内に逆抜け不能に係止されて上記第１挟持板材と上記第２挟持板材とが連結されたことを特徴とする建物用点検口の封印構造。
【請求項２】
更に、上記第２挟持板材又は上記第１挟持板材から取り離され、当該第２挟持板材又は上記第１挟持板材を特定する記号、文字及び／又は番号が記載された表記用板材を備えた請求項１に記載の建物用点検口の封印構造。
【請求項３】
上記第２挟持板材又は上記第１挟持板材に上記表記用板材と同様の記号、文字及び／又は番号が記載された請求項２に記載の建物用点検口の封印構造。
【請求項４】
上記第２挟持板材の上記ブロック体から表側に突出した上記バンド部材の上記自由端側の先端が除去された請求項１、２又は３に記載の建物用点検口の封印構造。
【請求項５】
上記第１挟持板材が上記外枠に止着された請求項１乃至４のいずれか１項に記載の建物用点検口の封印構造。
【請求項６】
上記外枠が、上記表側フランジから上記開口部の周面に沿って該開口部の高さより高く立ち上がった立上り板部を備え、上記内枠が、上記表側フランジから上記蓋体の周面に沿って該蓋体の高さより高く立ち上がった立上り板部を備えており、上記第１挟持板材が上記外枠の上記裏側フランジと該外枠に嵌合された上記内枠の上記裏側フランジとに跨る平面部と、該平面部の上記外枠側の端部から表方に向けて屈曲した折り曲げ部を備えた請求項１乃至５のいずれか１項に記載の建物用点検口の封印構造。
【請求項７】
上記第１挟持板材の折り曲げ部の先端面が外面側から上記立上がり板部に向けて表方に傾斜した請求項６に記載の建物用点検口の封印構造。
【請求項８】
更に、上記第１挟持板材が上記平面部の上記内枠側の端部から表方に向けて屈曲した折り曲げ部を備えた請求項６又は７に記載の建物用点検口の封印構造。
【請求項９】
上記第１挟持板材の上記内枠側の上記折り曲げ部が上記内枠の上記立上り板部に対して斜め外方に傾斜するように屈曲した請求項８に記載の建物用点検口の封印構造。
【請求項１０】
上記点検口が天井点検口又は壁点検口である請求項１乃至９のいずれか１項に記載の建物用点検口の封印構造。
【請求項１１】
上記建物用点検口が上記蓋体により閉塞された状態を保持するロック手段を備え、上記建物用点検口の封印構造が上記ロック手段の近傍に形成された請求項１乃至１０のいずれか１項に記載の建物用点検口の封印構造。
【請求項１２】
建物に設けられた点検口の開口部を開閉可能に閉塞する蓋体によって閉塞した状態で封印する建物用点検口の封印構造であって、上記点検口が上記開口部に嵌め込まれる外枠、上記蓋体に取り付けられる内枠にそれぞれ備えられる裏側フランジ、表側フランジのいずれか又は全部を備えていない建物用点検口であり、上記封印構造が係合部列を備えたバンド部と該バンド部の基端に設けられたヘッド部とを備えたバンド部材と、該バンド部材の上記バンド部が挿通可能で、且つ上記ヘッド部が通り抜け不能な挿通孔が開設された第１挟持板材と、上記バンド部材の上記バンド部が挿通可能なバンド案内孔が開設された第２挟持板材と、上記バンド部材の上記バンド部が自由端側から挿通すると逆抜け不能に係合する係合孔が開設されたブロック体と、を備え、上記建物用点検口の上記フランジが存在しない箇所においては、上記第１挟持板材、上記第２挟持板材が当該フランジに代えて、上記第１挟持板材は上記開口部の裏側縁部近傍と上記蓋体の裏側縁部近傍とに跨がり、上記第２挟持板材は上記開口部の表側縁部近傍と上記蓋体の表側縁部近傍とに跨がり、且つ上記ブロック体が上記第２挟持板材の上記バンド案内孔に上記係合孔が連通し、上記バンド部材の上記バンド部が上記バンド案内孔を経て自由端側から上記係合孔に挿通すると逆抜け不能となるように上記第２挟持板材の表面に配設され、上記バンド部材が上記第１挟持板材の上記挿通孔の裏側周縁部に上記ヘッド部が係止され、上記バンド部の自由端側が上記ブロック体の上記係合孔内に逆抜け不能に係止されて上記第１挟持板材と上記第２挟持板材とが連結されるように配設された建物用点検口の封印構造。
【請求項１３】
建物用点検口の開口作業又は閉塞作業が行なわれているか否かを確認、管理する建物用点検口の開閉作業の管理方法であって、請求項１乃至１２のいずれか１項に記載の建物用点検口の封印構造を備えた建物用点検口の上記封印構造を破壊して上記建物用点検口を開口する際に、その建物用点検口を特定する情報を控えて上記建物用点検口を開口することを確認、管理すると共に、係合部列が設けられたバンド部と該バンド部の基端に設けられたヘッド部とからなる封印用バンド部材と、上記バンド部材の上記バンド部が挿通可能なバンド案内孔が開設された第２挟持板材と、上記バンド部材の上記バンド部が自由端側から挿通すると逆抜け不能に係合する係合孔が開設され、該係合孔が上記第２挟持板材の上記バンド案内孔と連通するように第２挟持板材の一面に取り付けられるブロック体と、を備えた再封印用セットを用意し、上記建物用点検口の封印構造を破壊して点検口を開口した後、その点検口の開口部を再度、蓋体によって閉塞すると共に、上記再封印用セットと破壊した上記封印構造の第１挟持板材又は新たな第１挟持板材を用いて、上記建物用点検口を再度、封印して上記建物用点検口の封印構造を形成する際に、その建物用点検口を特定する情報を控えて上記建物用点検口が閉塞され、封印されたことを確認、管理することを特徴とする建物用点検口の開閉作業の管理方法。
【請求項１４】
上記再封印用セットの上記第２挟持板材が、板材本体から取り離し可能で、且つ所定の建物用点検口を特定する記号、文字及び／又は番号が記載された、又は記載可能な表記用板材を備えており、上記建物用点検口を開口する際に用意する上記再封印用セットの上記第２挟持板材から上記表記用板材を取り離して、該表記用板材に記載された記号、文字及び／又は番号を建物用点検口を特定する情報とする請求項１３に記載の建物用点検口の開閉作業の管理方法。
【請求項１５】
上記第２挟持板材の板材本体に上記表記用板材と同様の記号、文字及び／又は番号が記載されており、上記板材本体を再封印した建物用点検口を再び開口する際に、その建物用点検口を特定する情報の控えとする請求項１４に記載の建物用点検口の開閉作業の管理方法。
【請求項１６】
蓋体によって開閉可能に閉塞された建物用点検口を封印する封印用セットであって、係合部列が設けられたバンド部と該バンド部の基端に設けられたヘッド部とからなる封印用バンド部材と、該封印用バンド部材の上記バンド部が自由端側から挿通可能で、且つ上記ヘッド部が通り抜け不能な挿通孔が開設された第１挟持板材と、上記封印用バンド部材の上記バンド部が挿通可能なバンド案内孔が開設されると共に、該バンド案内孔と連通し、且つ上記バンド部が自由端側から挿通すると逆抜け不能に係合する係合孔が開設されたブロック体が一面に固設された第２挟持板材と、を備えたことを特徴とする建物用点検口の封印用セット。
【請求項１７】
上記第２挟持板材又は上記第１挟持板材が、板材本体から取り離し可能で、且つ当該第２挟持板材又は第１挟持板材を特定する記号、文字及び／又は番号が記載された、又は記載可能な表記用板材を備えた請求項１６に記載の建物用点検口の封印用セット。
【請求項１８】
上記第２挟持板材又は上記第１挟持板材の板材本体に上記表記用板材と同様の記号、文字及び／又は番号が記載された請求項１７に記載の建物用点検口の封印用セット。
【請求項１９】
上記第１挟持板材が、側面略Ｌ字型の形状を有し、上記挿通孔が側面略Ｌ字型を形成するいずれか一方の板面に開設された請求項１６、１７又は１８に記載の建物用点検口の封印用セット。
【請求項２０】
上記第１挟持板材が、側面略へ字型の形状を有し、上記挿通孔が側面略へ字型を形成するいずれか一方の板面に開設された請求項１６、１７又は１８に記載の建物用点検口の封印用セット。
【請求項２１】
上記第１挟持板材が、更に、上記挿通孔が開設された一方の板面の端部に他方の板面に対向する折り曲げ部を備えた請求項１９又は２０に記載の建物用点検口の封印用セット。
【請求項２２】
上記第１挟持板材の上記折り曲げ部の先端面が外面側で傾斜した請求項２１に記載の建物用点検口の封印用セット。
【発明の詳細な説明】
【技術分野】
【０００１】
本発明は、建物の壁、天井などに設けられた建物用点検口の封印構造、建物用点検口の開閉作業の管理方法及び建物用点検口の封印用セットに関し、より詳細には、建物の壁点検口や天井点検口等の建物用点検口の開口部を開閉自在に閉塞した蓋体が開けられたか否かを容易に確認、管理することが可能な建物用点検口の封印構造、このような封印構造を利用した建物用点検口の開閉作業の管理方法及びこのような封印構造の作成に好適な建物用点検口の封印用セットに関する。
【背景技術】
【０００２】
従来、ビル、駅構内等の建物の壁や天井には、内部に敷設される配線や配管などの保守、点検、修理などのために壁点検口や天井点検口などの建物用点検口が設けられている。このような建物用点検口として、例えば、図６に示すような天井点検口が挙げられる。図６は、従来の建物用点検口の閉塞手段を説明するものであり、建物用点検口である天井点検口を室内側から見上げた状態の概略を示した説明図である。図６に示す天井点検口１は、天井面２に開設された点検用の開口部３に嵌め込まれて取り付けられた方形状の外枠４と、この外枠４の内側に嵌合する内枠５と、内枠５に取り付けられた蓋体６とからなり、内枠５は外枠４に１辺同士で回動自在に繋がるように取り付けられており、内枠５が外枠４内側に嵌めこまれた状態、換言すると、内枠５に取り付けられた蓋体６によって点検口１が閉塞された状態を保持するためのロック手段７が上記の回動自在に繋がる１辺に対向する１辺に設けられている。そして、このようなロック手段７としては、例えば、後述する図３に示すように、内枠５にロック軸７ａによって回動自在に取り付けられた係止爪７ｂを有し、後述する図２に示すように、ロック軸７ａの下面７ｃにはコインやドライバーなどで操作できる溝７ｅが形成され、コインやドライバーなどを用いて蓋体６を閉めた状態で表側（天井下側）から係止爪７ｂを回動させて外枠４に係止させて蓋体６による点検口１の閉口状態を保持したり、外枠４から係止爪７ｂを外してロックを解除したりすることができるように構成された手段が挙げられる。また、壁点検口では、その他にも、例えば、内枠側にマググネットを取り付け、外枠側に鋼板を取り付けてマグネットの鋼板に対する吸着力を利用して蓋材による点検口の閉口状態を保持する手段などがある。しかしながら、このようなロック手段では、簡単にロックが解除されてしまい、いたずらされたり、地震や電車の通過などによる振動によって、係止爪が動いてロックが解除されたりする可能性があるなどの問題があり、このような問題を解決するために、種々の提案がなされている。
【０００３】
例えば、特許文献１には、点検口蓋の着脱が容易で、かつ、地震などの振動に際して点検口蓋が容易に外れない建物壁の点検口として、点検口蓋をスライドさせて点検口蓋の一辺部側を点検口枠の一辺部側に係合させる差込係合構造を有し、点検口蓋の他辺部側はいわゆるプッシュプッシュ型のキャッチ装置で点検口枠と係合させる構造であり、点検口蓋の一辺部側を点検口枠の一辺部側にスライドさせ、点検口蓋の他辺部側を押すという極めて簡単な操作で、点検口蓋を点検口枠に取り付けることができ、取り外す際も同様に、簡単な操作で点検口枠から取り外すことができ、係合ロッドの基端部が点検口蓋に設けた取付穴に遊びを持つ態様で取り付けられているので、地震などの振動に際して、係合ロッドの基端部が振動に追随することで、膨大部が一対のキャッチ片から外れる恐れは少ない点検口が記載されている。また、特許文献２には、振動などによって爪片が勝手に外れて内枠が開くのを防止するために、天井点検口において、内枠に回転自在に取り付けられ、上下方向に向くロック軸を回してロック軸の下端近傍に設けた爪片を外枠に係止させることにより内枠の閉塞状態を保持するためのロック手段を備え、ロック軸には背面に偏平部を備えて爪片が立ち上がり壁の外面に対して直角に向いたロック状態において偏平部が立ち上がり壁の外面に当接するように構成され、さらにロック軸には偏平部に繋がる偏平部を備えて、これら偏平部の繋がり部には角部が形成されていて、ばねによりロック軸を内枠の立ち上がり壁の外面に押し当てることによりロック解除方向への回転を規制するクリック機構を構成することが記載されている。これらの他にも、特許文献３には、ロック軸の下面に形成された溝（操作頭部の溝）に対しドライバー等を使用して回動させる手段の場合、回動方向が目視し得ないため、手間どる等の問題を解決するために、内枠に取り付けられる取付け板部と、基端が取付け板部の上部に連続し下方へ向けて外方向へ張り出すバネ板部と、バネ板部の先端を水平状に屈曲させ、常態において底面が外枠の下部フランジの内面に接面する水平板部と、水平板部の底面に連続し上記内枠の切欠き部内に位置する連続軸部と、この連続軸部に連続し上記内枠の下部フランジの下側に位置する水平状の操作板部とから成る天井点検口の内枠施錠装置が記載されている。また、建物用点検口用の鍵を用意し、点検口を閉塞した後、鍵をかける鍵付きタイプの点検口も採用されている。
【先行技術文献】
【特許文献】
【０００４】
【特許文献１】特開２０１３−１１９７１３号公報
【特許文献２】特開２００３−３０１５９９号公報
【特許文献３】特開平１１−３１１０１７号公報
【発明の概要】
【発明が解決しようとする課題】
【０００５】
しかしながら、上述したようなロック方式に関する特許文献には、部外者が点検口を開閉していないかを確認するということについては何ら記載されてなく、上述したようなロック方式では、建物に出入りする人がだれでも建物用点検口を開口することができ、また、その後に閉塞することもできるため、何人かによって開口されたか否かを建物の管理者などが確認、管理することが容易ではなく、いたずら防止やテロ対策を行うという点については考慮されていなかった。一方、建物用点検口用の鍵を用意する施錠式の点検口では、保守、点検などの作業時にいちいち鍵の貸し出し、返却をしなければならず、手間がかかり、また、鍵の管理にも気を使う必要があった。更に、多数の建物用点検口が設けられている場合、どの点検口が開口された後、再度、閉塞されたかを確認、管理するには煩雑な手続きが必要であった。
【０００６】
本発明は、上記課題を鑑みなされたもので、閉塞されていた点検口が開口されたことを視覚的に直ぐに認識することができ、例えば、多数の建物用点検口が設けられているような場合であっても、特定の建物用点検口が何人かによって開閉されたかを建物の管理者などが煩雑な手続きを行わなくても確認し、管理することが可能となり、更に、建物用点検口を開口する際の封印の解除、閉塞した後の再度の封印構造の取付け作業も容易であり、更に、地震や電車の通過などによる振動によって、点検口のロックが解除されて点検口が開口されてしまうという事態の発生を抑制することも可能とする建物用点検口の封印構造、このような封印構造を利用した建物用点検口の開閉作業の管理方法及びこのような封印構造の作成に好適に使用される建物用点検口の封印用セットを提供することを目的とする。
【課題を解決するための手段】
【０００７】
本発明は、上記目的を達成するため、（１）建物に設けられた点検口の開口部を開閉可能に閉塞する蓋体によって閉塞した状態で封印する建物用点検口の封印構造であって、点検口が開口部に裏側フランジと表側フランジを備えた外枠が嵌め込まれ、蓋体に裏側フランジと表側フランジを備え、外枠の内側に嵌合する内枠が取り付けられた建物用点検口であり、封印構造が係合部列を備えたバンド部と該バンド部の基端に設けられたヘッド部とを備えたバンド部材と、該バンド部材のバンド部が挿通可能で、且つヘッド部が通り抜け不能な挿通孔が開設された第１挟持板材と、バンド部材のバンド部が挿通可能なバンド案内孔が開設された第２挟持板材と、バンド部材のバンド部が自由端側から挿通すると逆抜け不能に係合する係合孔が開設されたブロック体と、を備え、第１挟持板材が外枠と内枠との隙間に挿通孔が連通し、且つ外枠の裏側フランジと内枠の裏側フランジとに跨るように配設され、第２挟持板材が外枠と内枠との隙間にバンド案内孔が連通し、且つ外枠の表側フランジと内枠の表側フランジとに跨るように配設され、ブロック体が第２挟持板材のバンド案内孔に係合孔が連通し、且つバンド部材のバンド部がバンド案内孔を経て自由端側から係合孔に挿通すると逆抜け不能となるように第２挟持板材の表面に配設され、バンド部材が第１挟持板材の挿通孔の裏側周縁部、即ち、挿通孔の周り又は挿通孔の周辺にヘッド部が係止され、且つバンド部の自由端側がブロック体の係合孔内に逆抜け不能に係止されて第１挟持板材と第２挟持板材とが連結された、即ち、バンド部材によって、第１挟持板材と第２挟持板材とが結び付けられたことを特徴とする建物用点検口の封印構造、（１’）建物に設けられた点検口の開口部を開閉可能に閉塞する蓋体によって閉塞した状態で封印する建物用点検口の封印構造であって、点検口が開口部に嵌め込まれる外枠、蓋体に取り付けられる内枠にそれぞれ備えられる裏側フランジ、表側フランジのいずれか又は全部を備えていない建物用点検口であり、封印構造が係合部列を備えたバンド部と該バンド部の基端に設けられたヘッド部とを備えたバンド部材と、該バンド部材のバンド部が挿通可能で、且つヘッド部が通り抜け不能な挿通孔が開設された第１挟持板材と、バンド部材のバンド部が挿通可能なバンド案内孔が開設された第２挟持板材と、バンド部材のバンド部が自由端側から挿通すると逆抜け不能に係合する係合孔が開設されたブロック体と、を備え、建物用点検口のフランジが存在しない箇所においては、第１挟持板材、第２挟持板材が当該フランジに代えて、第１挟持板材は開口部の裏側縁部近傍と蓋体の裏側縁部近傍とに跨がり、第２挟持板材は開口部の表側縁部近傍と蓋体の表側縁部近傍とに跨がり、且つブロック体が第２挟持板材のバンド案内孔に係合孔が連通し、バンド部材のバンド部がバンド案内孔を経て自由端側から係合孔に挿通すると逆抜け不能となるように第２挟持板材の表面に配設され、バンド部材が第１挟持板材の挿通孔の裏側周縁部にヘッド部が係止され、バンド部の自由端側がブロック体の係合孔内に逆抜け不能に係止されて第１挟持板材と第２挟持板材とが連結されるように配設された建物用点検口の封印構造、（２）建物用点検口の開口作業又は閉塞作業が行なわれているか否かを確認、管理する建物用点検口の開閉作業の管理方法であって、上記（１）、（１’）に記載の建物用点検口の封印構造を備えた建物用点検口の封印構造を破壊して建物用点検口を開口する際に、その建物用点検口を特定する情報を控えて建物用点検口を開口することを確認、管理すると共に、係合部列が設けられたバンド部と該バンド部の基端に設けられたヘッド部とからなる封印用バンド部材と、バンド部材のバンド部が挿通可能なバンド案内孔が開設された第２挟持板材と、バンド部材のバンド部が自由端側から挿通すると逆抜け不能に係合する係合孔が開設され、該係合孔が第２挟持板材のバンド案内孔と連通するように第２挟持板材の一面に取り付けられるブロック体と、を備えた再封印用セットを用意し、建物用点検口の封印構造を破壊して点検口を開口した後、その点検口の開口部を再度、蓋体によって閉塞すると共に、再封印用セットと破壊した封印構造の第１挟持板材又は新たな第１挟持板材を用いて、建物用点検口を再度、封印して建物用点検口の封印構造を形成する際に、その建物用点検口を特定する情報を控えて建物用点検口が閉塞され、封印されたことを確認、管理することを特徴とする建物用点検口の開閉作業の管理方法、及び（３）蓋体によって開閉可能に閉塞された建物用点検口を封印する封印用セットであって、係合部列が設けられたバンド部と該バンド部の基端に設けられたヘッド部とからなる封印用バンド部材と、該封印用バンド部材のバンド部が自由端側から挿通可能で、且つヘッド部が通り抜け不能な挿通孔が開設された第１挟持板材と、封印用バンド部材のバンド部が挿通可能なバンド案内孔が開設されると共に、該バンド案内孔と連通し、且つバンド部が自由端側から挿通すると逆抜け不能に係合する係合孔が開設されたブロック体が一面に固設された第２挟持板材と、を備えたことを特徴とする建物用点検口の封印用セットを提供する。なお、本発明において、「表側」とは、建物用点検口が天井点検口であれば、室内側、天井表面側、建物用点検口が壁点検口であれば、室内側、壁表面側、建物用点検口が床点検口であれば、室内側、床面側であり、「裏側」とは、建物用点検口が天井点検口であれば、天井内側、天井裏側、建物用点検口が壁点検口であれば、壁内側、壁裏側、建物用点検口が床点検口であれば、床下側である。
【０００８】
即ち、本発明は、上記先行技術の建物用点検口とは全く異なる視点からなされたものであり、建物用点検口の開口部を蓋体によって閉塞した状態で封印し、点検口の開閉作業を管理するという従来の建物用点検口では提案されていなかった技術に関するものであり、本発明の上記（１）に記載の建物用点検口の封印構造の上記構成によれば、閉塞状態にある建物用点検口において、外枠の裏側フランジと内枠の裏側フランジとに跨るように配設された第１挟持板材と、外枠の表側フランジと内枠の表側フランジとに跨るように配設された第２挟持板材とが、ヘッド部が第１挟持板材の挿通孔に通り抜け不能に係止され、バンド部の自由端側が挿通孔から外枠と内枠との隙間を経て第２挟持板材のバンド案内孔に挿通されて第２挟持板材の表面に配設されたブロック体の係合孔に逆抜け不能に係合したバンド部材により連結されている、換言すると、上述したようなバンド部材により結び付けられた第１挟持板材と第２挟持板材とによって、封印構造の取り付け箇所の建物用点検口の開口部の外枠のフランジとこれに相接した蓋体の内枠のフランジとが裏面側と表面側から挟持された状態となっているので、この封印構造を破壊しない限り蓋体を開けて点検口を開口することはできない構成となっている。従って、再び、この点検口の開口部を蓋体によって閉塞しても、取り付けてあった封印構造は破壊されているので、再度、この封印構造によって封印することができなくなり、閉塞されていた点検口が開口されたことを視覚的に直ぐに認識することができる。そして、本発明の封印構造は、建物用点検口の封印に際し、建物用点検口に孔を開けたりするなどの必要がなく、このような外枠、内枠を備えた既存の建物用点検口であってもそのままの状態で封印することができる。
【０００９】
ここで、本発明の建物用点検口の封印構造が、更に、第２挟持板材又は第１挟持板材から取り離され、当該第２挟持板材又は第１挟持板材を特定する記号、文字及び／又は番号が記載された表記用板材を備えたものであれば、封印構造を破壊して点検口を開口する際、また、再度、閉塞した点検口を新たな封印構造により封印する際に、作業を行う点検口を特定する情報の控えとして利用することができ、このように作業を行う点検口を特定することによって、部外者や振動などにより開口された点検口の有無を確認することができ、また、保守、点検作業などを確認し、管理することもできる。なお、表記用板材は、後述するように第１挟持板材が折り曲げ部を備えていたり、第１挟持板材を再利用するような場合は、第２挟持板材から取り離されたものであると、より好適である。更に、第２挟持板材又は第１挟持板材に表記用板材と同様の記号、文字及び／又は番号が記載されていると、例えば、後述するように本発明の建物用点検口の開閉作業の管理方法により、点検口の開閉作業を行った点検口を確認、管理する際に、封印構造を破壊した後、表記された第２挟持板材を管理者などに持っていくことによって、封印構造を破壊した点検口を特定し、管理することができる。そして、第２挟持板材のブロック体から表側に突出したバンド部材の自由端側の先端が除去されたものであると、表側からの見栄えが良くなり、また、引っ張っていたずらされるなどの事態を抑制することができる。そして、第１挟持板材が外枠に止着されたものであると、後述するように封印構造を作製する際に第１挟持板材が取扱い易くなる。更に、外枠が、表側フランジから開口部の周面（周壁）に沿って開口部の高さ（天井面、壁体などの厚さ）より高く立ち上がった立上り板部を備え、内枠が、表側フランジから蓋体の周面（周壁）に沿って該蓋体の高さより高く立ち上がった立上り板部を備えている、換言すると、各裏側フランジが天井裏面、壁裏面などから、また、蓋体裏面からそれぞれ裏方に離間している、のであれば、第１挟持板材が外枠の裏側フランジと該外枠に嵌合された内枠の裏側フランジとに跨る平面部と、該平面部の外枠側の端部から表方に向けて屈曲した折り曲げ部を備えたものであったり、その折り曲げ部の先端面が外面側から立上がり板部に向けて表方に傾斜した傾斜面であったり、更に、第１挟持板材が平面部の内枠側の端部から表方に向けて屈曲した折り曲げ部を備えたものであったり、その内枠側の折り曲げ部が内枠の立上り板部に対して斜め外方に傾斜するように屈曲したものであっても、後述するように封印構造を作製する際に第１挟持板材が取扱い易くなる。
【００１０】
また、本発明の建物用点検口の封印構造は、封印対象の建物用点検口の種類が特に制限されるものではなく、例えば、天井点検口、壁点検口、床点検口などに適用することができるが、第２挟持板材のブロック体が表側に突出していることを考慮すると、天井点検口、壁点検口に適用すると、より好適である。ここで、本発明の場合、封印対象の建物用点検口の構成が特に制限されるものではなく、また、形成する位置も特に制限されるものではないが、例えば、建物用点検口が蓋体により閉塞された状態を保持するロック手段を備えたものであれば、建物用点検口の封印構造がロック手段の近傍に形成されていると、封印を解除し、開口するという作業が行い易くなる。更に、本発明の建物用点検口の封印構造は、上述したように、既存の建物用点検口に形成することができ、例えば、封印する点検口が外枠、内枠の各フランジのいずれか又は全部を備えていない建物用点検口、より具体的には、外枠、内枠のいずれか一方又は両方を備えていない点検口、外枠、内枠を備えているが、備えられている外枠、内枠が裏側フランジ、表側フランジのいずれか一方又は両方を備えていない点検口であれば、上述したように第１挟持板材、第２挟持板材を外枠と内枠の各裏側フランジや各表側フランジに跨設させることができないので、そのような存在しないフランジに代えて、当該箇所では開口部の縁部近傍と蓋体の縁部近傍とにかけて第１挟持板材、第２挟持板材を跨設する、換言すると、例えば、フランジを有さない点検口では、第１挟持板材が点検口の開口部の裏面側の開口縁部周辺とこれに相対する蓋体の裏面側の縁部周辺に亘るように配設され、第２挟持板材が点検口の開口部の表側縁部近傍と蓋体の表側縁部近傍とに跨るように配設された態様とすることができる。
【００１１】
そして、本発明の上記（２）に記載の建物用点検口の開閉作業の管理方法の上記構成によれば、本発明の建物用点検口の封印構造を破壊して点検口を開口する際に、その建物用点検口を特定する情報を控えて点検口を開口することを確認し、点検作業が終わった点検口の開口部を再度、蓋体によって閉塞し、上述した再封印用セットと破壊した封印構造の第１挟持板材又は新たな第１挟持板材を用いて、建物用点検口を再度、封印する際に、その建物用点検口を特定する情報を控えて建物用点検口が閉塞され、封印されたことを確認、管理するので、特定の建物用点検口が何人かによって開閉されたかを建物の管理者などが管理することができ、また、閉塞されていた点検口が部外者や振動などによって開口されるという事態が発生した場合、そのような事態を視覚的に直ぐに認識することができる。なお、再封印用セットは、破壊した封印構造の第１挟持板材を再利用することを考慮したものであり、第１挟持板材を再利用しない場合は、新たな第１挟持板材を用意することができる。また、ブロック体は、予め第２挟持板材の所定の位置に固設されていてもよく、別体として用意し、封印構造の形成作業の際に、バンド部材によって、第２挟持板材の所定の位置に当接させて取り付けられるように構成されていても良いが、予め第２挟持板材の所定の位置に固設されていると、点検口が開口されたことがより判別し易くなるので、より好適である。ここで、再封印用セットの第２挟持板材が、板材本体から取り離し可能で、且つ所定の建物用点検口を特定する記号、文字及び／又は番号が記載された、又は記載可能な表記用板材を備えており、建物用点検口を開口する際に用意する再封印用セットの第２挟持板材から表記用板材を取り離して、該表記用板材に記載された記号、文字及び／又は番号を建物用点検口を特定する情報として利用すると、開口作業、閉塞作業を行った建物用点検口の特定作業が容易、且つ確実となる。更に、第２挟持板材の板材本体に表記用板材と同様の記号、文字及び／又は番号が記載されており、板材本体を再封印した建物用点検口を再び開口する際に、その建物用点検口を特定する情報の控えとする、より具体的には、例えば、次回の建物用点検口の開閉作業を確認、管理する際に、当該封印構造を破壊した後、その第２挟持板材を建物の管理者などに渡すことによって、建物用点検口が開口された情報として控えておくことができる。
【００１２】
そして、本発明の上記（３）に記載の建物用点検口の封印用セットによれば、本発明の建物用点検口の封印構造を構成する第１挟持板材、第２挟持板材を備え、更に、バンド部材を構成する封印用バンド部材を備えているので、蓋体によって閉塞された建物用点検口の所定の位置に第１挟持板材、第２挟持板材を配設し、封印用バンド部材によって、これらをきつく結び付けることによって、対象とする建物用点検口を封印する本発明の建物用点検口の封印構造を作製することができる。ここで、本発明の建物用点検口の封印用セットにおいて、第２挟持板材又は第１挟持板材が、板材本体から取り離し可能で、且つ当該第２挟持板材又は第１挟持板材を特定する記号、文字及び／又は番号が記載された、又は記載可能な表記用板材を備えたものであれば、例えば、本発明の封印用セットを作業員に渡す際に、表記用板材を取り離して作業を行う点検口を特定する情報の控えとして利用したり、作業員が本発明の封印用セットにより閉塞した点検口に封印構造を作製する際に、表記用板材を取り離して封印した点検口を特定して報告する際の控えとして利用することができる。なお、表記用板材は、上述した封印構造と同様に第２挟持板材に備えられていると、より好適である。また、第２挟持板材又は第１挟持板材の板材本体に表記用板材と同様の記号、文字及び／又は番号が記載されたものであると、上述したように点検口の開閉作業を確認、管理する際に、より好適である。更に、第１挟持板材が、側面略Ｌ字型の形状を有し、挿通孔が側面略Ｌ字型を形成するいずれか一方の板面に開設されたもの、又は、側面略へ字型の形状を有し、挿通孔が側面略へ字型を形成するいずれか一方の板面に開設されたものであったり、更に、挿通孔が開設された一方の板面の端部に他方の板面に対向する折り曲げ部を備えたものであったり、その折り曲げ部の先端面が外面側で傾斜したもの、換言すると、先端面が外面側から内面側に向けて斜め下方に向けて傾斜した傾斜面となるように形成されたものであれば、後述するように、本発明の封印用セットにより開口部に外枠を備えたタイプの点検口に本発明の封印構造を作製する際に第１挟持板材が取扱い易くなる。
【発明の効果】
【００１３】
本発明によれば、閉塞されていた点検口が開口されたことを視覚的に直ぐに認識することができ、何人かによって開口されたか否かを建物の管理者などが容易に確認、管理することができるので、駅構内、公共の施設のように人が自由に出入りする建物に設けられた建物用点検口、ビルやマンションのエントランスなどのように建物、施設の外側に設けられ、誰でも触れるような場所に設けられた建物用点検口であっても、その建物用点検口の開閉状態を確認し、管理することを可能とし、例えば、建物用点検口へのいたずら防止やテロ対策を容易に行うことが可能となった。また、保守、点検などの作業時に点検口を開口する際の封印の解除、閉塞した後の封印構造の取付け作業も容易であり、鍵のように管理にも気を使う必要も少ない。更に、地震や電車の通過などによる振動によって、点検口のロックが解除されて点検口が開口されてしまうという事態の発生を抑制することも可能となった。
【図面の簡単な説明】
【００１４】
【図１】本発明の一実施例に係る建物用点検口の封印構造の概略縦断面図である。
【図２】図１における外枠を建物用点検口から外し、内枠から蓋体を取り外した状態で建物用点検口の封印構造を見た概略斜視図である。
【図３】図１における蓋体を取り外した状態で上記建物用点検口の封印構造を内枠側の裏方から見た概略斜視図である。
【図４】本発明の一実施例に係る建物用点検口の封印用セットを説明する概略斜視図である。
【図５】本発明の他の実施例に係る建物用点検口の封印構造の概略横断面図である。
【図６】従来の天井点検口の一例を示す概略図である。
【発明を実施するための形態】
【００１５】
以下、本発明の実施の形態を図面に基づき、より詳細に説明する。図１〜図３は、本発明の建物用点検口の封印構造の一実施例を説明するために、建物用点検口として外枠、内枠を備えた天井点検口を採用したものであり、図１は本発明の一実施例に係る建物用点検口の封印構造の概略縦断面図、図２は天井点検口の開口部から外枠を外し、内枠から蓋体を取り外した状態で天井点検口の封印構造を表方（下方又は室内側）から見た概略斜視図、図３は蓋体を取り外した状態で天井点検口の封印構造を内枠側の裏方（上方又は天井裏3側）から見た概略斜視図である。図中１は、本発明の一実施例に係る建物用点検口の封印構造１０によって封印された天井点検口であり、この天井点検口１は、上述した図６に示した天井点検口１と同様に、天井面２に開設された点検用の開口部３の周壁に嵌め込まれて取り付けられた方形状の外枠４と、この外枠４の内側に嵌合する内枠５と、内枠５内に取り付けられた蓋体６とからなり、内枠５は外枠４に１辺同士で回動自在に繋がるように取り付けられており、内枠５が外枠４内側に嵌めこまれた状態、換言すると、内枠５に取り付けられた蓋体６によって点検口１が閉塞された状態を保持するためのロック手段７（図２、図３参照）が上記の回動自在に繋がる１辺に対向する１辺に設けられている。そして、このようなロック手段７としては、例えば、内枠５にロック軸７ａ（図３参照、以下同様）によって回動自在に取り付けられた係止爪７ｂ（図２、図３参照、以下同様）を有し、ロック軸７ａの下面７ｃにはコインやドライバーなどで操作できる溝７ｅ（図２参照、以下同様）が形成され、コインやドライバーなどを用いて蓋体６を閉めた状態で表側（天井下側）から係止爪７ｂを回動させて外枠４に係止させて蓋体６による天井点検口１の閉口状態を保持したり、外枠４から係止爪７ｂを外してロックを解除したりすることができるように構成されている。そして、ロックを解除することにより、蓋体６が斜め下方に開いて天井点検口１が開口する。
【００１６】
外枠４は、表側（図１〜図３においては下部、以下同様）フランジ４ａと、表側フランジ４ａの面内から開口部３の周面に沿って開口部３の高さ（図１では、天井面２の厚さ）より高く立ち上がった立上がり板部４ｂと、立上り板部４ｂの裏側端（図１〜図３においては上端、以下同様）を蓋体６側に向けて屈曲させた裏側（図１〜図３においては上部、以下同様）フランジ４ｃとを備えており、内枠５は、表側フランジ５ａと、表側フランジ５ａの面内から蓋体６の周面に沿って蓋体６の高さより高く立ち上がった立上り板部５ｂと、立上り板部５ｂの裏側端を蓋体６側に向けて屈曲させた裏側フランジ５ｃとを備え、外枠４の表側フランジ４ａと内枠５の表側フランジ５ａとの間には、わずかな隙間ａが形成され、外枠４の立上り板部４ｂと内枠５の立上り板部５ｂとの間は空隙ｂがあり、外枠４の裏側フランジ４ｃと内枠５の裏側フランジ５ｃとの間には隙間ｃが形成されている。
【００１７】
天井点検口１を封印する封印構造１０は、係合部列１１ｃを備えたバンド部１１ａとバンド部１１ａの基端に設けられたヘッド部１１ｂとからなるバンド部材１１と、バンド部材１１のバンド部１１ａが挿通可能で、且つヘッド部１１ｂが通り抜け不能な挿通孔２０ａが開設された第１挟持板材２０と、バンド部材１１のバンド部１１ａが挿通可能なバンド案内孔３０ａが開設されると共に、バンド案内孔３０ａと連通し、且つバンド部１１ａが自由端側から挿通すると逆抜け不能に係合する係合孔３１ａが開設されたブロック体３１が一面に固設された第２挟持板材３０とを備え、封印構造１０は、後述するように外枠４のロック手段７の近傍に第１挟持板材２０が図示しない止着手段により止着されて、ロック手段７の近傍に取り付けられている。ここで、挿通孔２０ａ、バンド案内孔３０ａの形状は、バンド部材１１の横方向断面形状に合わせて上面から見て略長方形に開設されているが、本発明の挿通孔の形状は、バンド部材のバンド部が挿通可能で、且つヘッド部が通り抜け不能である限り、特に制限されるものではなく、バンド案内孔の形状もバンド部が挿通可能である限り、特に制限されるものではない。また、挿通孔２０ａは、後述する第１挟持板材２０の平面部２１の略中央、バンド案内孔３０ａは、第２挟持板材３０の略中央にそれぞれ開設されているが、本発明の挿通孔、バンド案内孔の開設位置は、特に制限されるものではなく、封印構造により封印する建物用点検口の構成、第１挟持板材、第２挟持板材の形状などに合わせて、適宜選定することができる。
【００１８】
ここで、本発明の第１挟持板材は、外枠の裏側フランジと内枠の裏側フランジと、又はこれらフランジを備えていない点検口の場合は開口部の裏側縁部近傍と蓋体の裏側縁部近傍と、に跨るように配設することができるような板状である限り、その形状が特に制限されるものではなく、例えば、後述する図５に示すような四角形などの平面板状であっても良いが、図１〜３に示す第１挟持板材２０のように外枠４の裏側フランジ４ｃと内枠５の裏側フランジ５ｃとに跨るような短辺を有する長方形の平面部２１と、平面部２１の外枠４側の端部からは外枠４の立上がり板部４ｂに沿うように表方（図１では下方、以下同様）に向けて屈曲した折り曲げ部２２、内枠５側の端部からは表方に向けて屈曲した折り曲げ部２３を備えたものであると、外枠４の裏側フランジ４ｃと内枠５の裏側フランジ５ｃとに覆い被さるように配設することができ、表方（天井下方）から封印作業をする際により取扱い易くすることができる。更に、折り曲げ部２２は、図１に示すように、その先端面２２ａが外面側から立上がり板部４ｂに向けて表方に（図１では左側面から右下方向に向けて）傾斜しており、封印構造を形成する際に、この傾斜した先端面２２ａと外枠４の立上がり板部４ｂとに亘るようにテープ止めなどすることによって第１挟持板材２０を外枠４に止着し易くなる。ここで、先端面２２ａの傾斜角度αは、特に制限されるものではなく、第１挟持板材２０自体の強度、折り曲げ部２２の長さ、外枠４への止着し易さなどを考慮して適宜選定することができるが、好ましくは５°〜６０°、より好ましくは１０°〜５０°であると、より好適である。なお、第１挟持板材２０を外枠４に止着する手段は特に制限されないが、例えば、養生テープ、ガムテープなどのように粘着剤などを塗布したテープ状材料などを利用した手段などを挙げることができる。また、折り曲げ部２３は、内枠５の立上り板部５ｂに対して斜め外方（図１では斜め右下方向）に傾斜するように屈曲していると、封印作業をする際に第１挟持板材２０を外枠４の裏側フランジ４ｃに載置し、内枠５に取り付けられた蓋体６を内枠５の裏側フランジ５ｃが第１挟持板材２０の平面部２１に当接するように閉じることがより容易となる。ここで、折り曲げ部２３の平面部２１に対する屈曲角度βは、特に制限されるものではないが、取扱い性、施工性などを考慮すれば、好ましくは９５°〜１３０°、より好ましくは１００°〜１２５°、更に好ましくは１００°〜１２０°であると、より好適である。
【００１９】
なお、本発明の第１挟持板材としては、上述したように平面部のみのものであったり、平面部とその外枠側で屈曲した折り曲げ部のみ、即ち、図１の折り曲げ部２３を備えないものであったり、内枠側の折り曲げ部が傾斜していない、即ち、図１の折り曲げ部２３の平面部２１に対する屈曲角度βが９０°であったり、外枠側の折り曲げ部の先端面が平面部に対して水平な平面、即ち、図１の傾斜角度αが９０°であってもよい。また、図１〜３に示した第１挟持板材２０は、内枠５側の折り曲げ部２３の方が外枠４側の折り曲げ部２２よりも長くなっているが、これらの長さは、点検口の構成などに合わせて適宜選定することができ、折り曲げ部２３と折り曲げ部２２が同じ長さであっても、折り曲げ部２３の方が折り曲げ部２２よりも短くなっていてもよい。
【００２０】
本発明の第２挟持板材としては、外枠の表側フランジと内枠の表側フランジと、又はこれらフランジを備えていない点検口の場合は表側縁部近傍と蓋体の表側縁部近傍と、に跨るように配設することができるような板状である限り、その形状が特に制限されるものではなく、例えば、四角形、楕円形などの多角形、円形の平面状の板材を使用しても良いが、図２に示すように、外枠４の表側フランジ４ａと内枠５の表側フランジ５ａとに跨るような幅（図４の図中矢印Ｗ参照）を有する四角形の板材本体３２から取り離し可能で、且つ当該第２挟持板材を特定する記号、文字及び／又は番号（図示せず、以下同様）が記載された、換言すると、記号、文字及び／又は番号により特定される当該第２挟持板材の情報が記載、又は記載可能な表記用板材３３、３３を備えた第２挟持板材を使用し、封印構造を作成する際に、その表記用板材３３、３３を第２挟持板材（板材本体３２から）から取り離したものであってもより好適である。このような第２挟持板材としては、後述する図４に示す第２挟持板材３０’のように、長方形板材からなる第２挟持板材３０’の長さ方向（図中矢印Ｌ）の両端側からそれぞれ全長の約４分の１の位置に幅方向（図中矢印Ｗ）に向かって肉薄線部３２ａ、３２ａを設けることによって、第２挟持板材３０’の長さ方向の中間部を板材本体３２として点検口の封印に使用し、肉薄線部３２ａ、３２ａに沿って切ったり、肉薄線部３２ａ、３２ａを折り曲げて切断することによって、第２挟持板材３０’の板材本体３２から取り離される部分を表記用板材３３、３３とすることができる。そして、表記用板材３３、３３は、図示しない記号、文字、数字又はこれらの組み合わせなどの第２挟持板材を特定する情報が取り離し前に予め記載されているか、又は取り離し後に予め設定されている第２挟持板材を特定する情報が記載可能となっており、第２挟持板材を取り付ける、又は、取り付けた天井点検口を特定する情報の控えとして利用可能となっている。なお、取り離し可能な表記用板材の数は特に制限されず、例えば、１枚であっても良いのは勿論である。また、上述したように表記用板材を第２挟持板材（板材本体３２から）から取り離し可能な構成とする場合、肉薄線部の形成位置も特に制限されず、第２挟持板材の大きさなどを考慮して適宜位置に形成することができる。そしてまた、表記用板材に記載される記号としては、その第２挟持板材を特定することができる限り、例えば、絵柄なども含まれる。そして、本発明の封印構造では、上述したように、表記用板材は、第１挟持板材から取り離されたものとすることもでき、例えば、第１挟持板材が四角形などの平面板状のものであれば、上述したような肉薄線部を第１挟持板材に設けることによって取り離し可能な構成とすることができる。また、上記のような情報を記載する手段としては、特に制限されるものではなく、例えば、各種ペン、インクなどによって表記用板材に書き込んだり、刻印したり、上記のような情報を印刷した印字テープなどを表記用板材に貼付する手段などが挙げられる。また、第２挟持板材３０（板材本体３２）にも表記用板材３３、３３と同様の図示しない記号、文字、数字又はこれらの組み合わせが記載されていると、後述するように、例えば、封印構造を破壊した後、破壊後の第２挟持板材を管理者などに渡すことによって、点検口を特定して報告する際の控えとして利用することができる。
【００２１】
なお、本発明の第２挟持板材としては、ブロック体３１が第２挟持板材３０に固設されてなく、バンド部材１１の締め付けによって、第２挟持板材の所定位置に当接した状態で取り付けられたようにすることもできる。また、ブロック体３１を第２挟持板材３０に固設する場合、その固設手段は、特に制限されるものではなく、例えば、第２挟持板材３０とブロック体３１とを一体成型したり、適宜接着剤によって固設する手段などが挙げられる。
【００２２】
封印構造１０は、上述したように、第１挟持板材２０が、外枠４の裏側フランジ４ｃと内枠５の裏側フランジ５ｃとの間の隙間ｃに挿通孔２０ａが連通し、平面部２１は外枠４の裏側フランジ４ｃと内枠５の裏側フランジ５ｃとの面上に載置され、折り曲げ部２２は外枠４の立上り板部４ｂに沿うように、折り曲げ部２３は内枠５の立上り板部５ｂよりも斜め外方になるようにして、外枠４の裏側フランジ４ｃと内枠５の裏側フランジ５ｃとに覆い被さるようにして跨設されている。そして、第２挟持板材３０が、外枠４の表側フランジ４ａと内枠５の表側フランジ５ａとの間の隙間ａにバンド案内孔３０ａが連通し、外枠４の表側フランジ４ａと内枠５の表側フランジ５ａとに跨り、ブロック体３１が表側に突出するように配設されている。更に、バンド部材１１は、第１挟持板材２０の挿通孔２０ａの裏側周縁部にヘッド部１１ｂが係止され、挿通孔２０ａから外枠４の立上り板部４ｂと内枠５の立上り板部５ｂとの間の空隙ｂ（隙間）を経て第２挟持板材３０のバンド案内孔３０ａに挿通されたバンド部１１ａの自由端側が第２挟持板材３０に取り付けられたブロック体３１の係合孔３１ａ内に逆抜け不能に係止されており、このようなバンド部材１１によって、第１挟持板材２０と第２挟持板材３０とがきつく結びつけられた状態で連結されて天井点検口１を封印した封印構造１０が形成されている。ここで、本発明の封印構造は、バンド部材の自由端側の先端が第２挟持板材のブロック体から表側に突出したままでも良いが、この場合、表方（天井下）から封印構造を見上げた時に、バンド部の先端がブロック体から垂れ下がったように感じられる可能性を考慮すれば、図１に示した封印構造１０のように、ブロック体３１から表側に突出したバンド部材１１の自由端側の先端が除去されたものとすると、より好適である。
【００２３】
次に、このような封印構造１０の作成に好適な本発明の一実施例に係る建物用点検口の封印用セット４０を、図４を用いてより詳細に説明する。図４は、図１〜図３に示した封印構造を作成する封印用セット４０を拡大して示した斜視図であり、封印用セット４０は、封印用バンド部材１１’と第１挟持板材２０と第２挟持板材３０’を備えている。封印用バンド部材１１’は、封印構造を構成するバンド部材１１（図１参照、以下同様）と同様にバンド部１１’ａとバンド部１１’ａの基端に設けられたヘッド部１１ｂとからなり、バンド部１１’ａの一面には、略全長に亘って係合部列１１’ｃが設けられているが、封印用バンド部材１１’のバンド部１１’ａは、バンド部材１１よりも全長が長く、また、その自由端側の先端部１１ｄは、第１挟持板材２０、第２挟持板材３０’に設けられた孔への挿通が容易となるように先細になっている。このようなバンド部１１’ａのより具体的な構成としては、例えば、いわゆる結束バンドとして公知の部材のバンド本体の種々の構成から適宜選択してバンド部とすることができる。
【００２４】
封印用セット４０の第１挟持板材２０は、封印構造を構成する第１挟持板材と同じであり、平面部２１と折り曲げ部２３により側面略へ字型の形状が形成され、更に、平面部２１の端部に折り曲げ部２３に対向する折り曲げ部２２を有し、平面部２１には封印用バンド部材１１’のバンド部１１’ａが自由端側の先端部１１ｄから挿通可能で、ヘッド部１１ｂが通り抜け不能な挿通孔２０ａが開設され、折り曲げ部２２はその先端面２２ａが外面で傾斜した傾斜面となるように形成されている。そして、封印用セット４０の第２挟持板材３０’は、封印構造を構成する第２挟持板材３０（図１参照）と同様に封印用バンド部材１１’のバンド部１１’ａが挿通可能なバンド案内孔３０ａが開設され、バンド案内孔３０ａと連通し、且つバンド部１１’ａが自由端側から挿通すると逆抜け不能に係合する係合孔３１ａが開設されたブロック体３１が板材本体３２の一面に固設されているが、上述したように、封印用セット４０の第２挟持板材３０’は、長さ方向（図中矢印Ｌ）の両端側からそれぞれ全長の約４分の１の位置に幅方向（図中矢印Ｗ）に向かって肉薄線部３２ａ、３２ａが設けられ、長さ方向の中間部の板材本体３２が封印構造の第２挟持板材を構成し、肉薄線部３２ａ、３２ａに沿って切り離したり、肉薄線部３２ａ、３２ａを折り曲げたりして、板材本体３２から取り離される表記用板材３３、３３、板材本体３２については、上述した通りである。なお、ブロック体３１に開設される係合孔３１ａは、上述したように公知のいわゆる結束バンドのバンド本体の種々の構成から適宜選定されたバンド部１１’ａの係合部列の構成に合わせて選定することができる。また、板材本体３２から表記用板材３３、３３を取り離し可能とする手段は、特に制限されず、上述したような肉薄線部を設ける手段の他にも、適宜手段を採用することができる。なお、本発明の建物用点検口の封印用セットは、上述した封印構造と同様に、平面部のみのものであったり、図４の折り曲げ部２３を備えていないものであったり、図４の折り曲げ部２３が傾斜していないものであったり、図４の折り曲げ部２２の先端面２２ａが平面部に対して水平な平面であってもよく、図４の折り曲げ部２３と折り曲げ部２２が同じ長さであっても、折り曲げ部２３の方が折り曲げ部２２よりも短くなっていてもよい。
【００２５】
本発明の建物用点検口の封印用セットを構成する各部材の材質は特に制限されるものではなく、第１挟持板材、第２挟持板材は、天井点検口、壁点検口などの建物用点検口の封印ができる程度の強度があれば、その材質は特に制限されず、例えば、金属製板材、紙製板材などであっても良いが、取扱い易く、且つある程度の強度を有するとより好適であることなどを考慮すれば、半硬質合成樹脂、硬質合成樹脂材などがより好適であり、例えば、アクリル樹脂製板材、塩化ビニル製板材、ポリエチレンテレフタレート製板材、高密度ポリエチレン製板材、ポリプロピレン製板材、ポリスチレン製板材、ＡＢＳ樹脂製板材、ポリカーボネート製板材などを挙げることができる。また、板材の厚さは、その材質などを考慮して適宜選定することができる。そしてまた、封印用バンド部材の材質としては、上述したような公知の結束バンドの材質から適宜選定することができ、第２挟持板材に固設されるブロック体の材質としては、上述したような公知の結束バンドの材質又は第２挟持板材と同様の材質などから適宜選定することができ、第２挟持板材にブロック体を固設する手段としては、これらの材質に合わせて適宜選定することができ、上述したような一体成型、適宜接着剤による手段などを挙げることができる。
【００２６】
封印用セット４０により、図１〜図３に示す天井点検口の封印構造を作成する手順の一例を以下に説明する。予め封印用バンド部材１１’のバンド部１１’ａを自由端側の先端部１１ｄから挿通孔２０ａに挿通させた第１挟持板材２０を、蓋体が斜め下方に開いて開口している天井点検口のロック手段の近傍の外枠の裏側フランジの上面に平面部２１が載置され、外枠の立上り板部に折り曲げ部２２が沿って、外枠の裏側フランジに引掛かった状態とし、封印用バンド部材１１’のバンド部１１’ａの自由端側の先端が外枠の表側フランジの下方になるようにし、折り曲げ部２２の先端側を外枠の立上り板部にテープ止めするなどの止着手段により止着した後、第１挟持板材１１’の平面部２１が内枠の裏側フランジの上面に載置され、折り曲げ部２３が内枠の立上り板部に対して斜め外方向になるように蓋体を持ち上げて天井点検口を蓋体によって閉塞し、次いで、外枠の表側フランジの下方となっている封印用バンド部材１１’のバンド部１１’ａの先端を第２挟持板材３０’の表記用板材３３、３３を取り離した板材本体３２のバンド案内孔３０ａからブロック体３１の係合孔３１ａへと挿通させ、ブロック体３１の表側に突き出たバンド部１１’ａの自由端の先端を押さえて第２挟持板材３０’の板材本体３２を引き上げることによって、板材本体３２を外枠の表側フランジと内枠の表側フランジとに跨るように当接させ、封印用バンド部材１１’によって、第１挟持板材２０と第２挟持板材３０’の板材本体３２とをきつく結びつけることによって、図１〜図３に示すように、天井点検口１を封印構造１０により封印することができる。そして、図２に示すように、例えば、見栄えなどを考慮するなどの必要に応じてブロック体３１から突出したバンド部の先端をハサミなどにより切り取ってもより好適である。なお、上述したように、第１挟持板材２０に替えて第１挟持板材２０の折り曲げ部２３がなく、側面略Ｌ字型の第１挟持板材を利用することもでき、このような第１挟持板材であっても、蓋体を閉める際に、第１挟持板材を外枠の裏側フランジに引掛けた状態とすることができる。
【００２７】
このようにして封印構造１０によって封印された天井点検口１は、封印構造１０のいずれかの部材を破壊しない限り、蓋体６を開くことができず、開口した後は、開口前の封印構造は、破壊されているので、閉塞されていた点検口が開口されたことを視覚的に直ぐに認識することができる。封印構造１０を破壊する方法は、特に制限されず、ブロック体３１が第２挟持板材３０に固設されている場合は、例えば、第２挟持板材３０に固設されたブロック体３１をニッパーなどを用いて係合孔内のバンド部材１１のバンド部１１ａの自由端ごと第２挟持板材３０から切り取る、又はブロック体３１をペンチなどを用いて引っ張り、係合孔内のバンド部材１１のバンド部１１ａの係合状態を解除させて、第２挟持板材３０から引きちぎるなどの方法が挙げられる。なお、このようにして第２挟持板材３０に固設されていたブロック体を除去する場合、第１挟持板材は、新たな封印構造に再利用することもできる。一方、ブロック体３１が第２挟持板材３０に固設されていない場合は、例えば、ニッパー、はさみなどを用いて第２挟持板材３０とブロック体３１との間にあるバンド部材１１のバンド部１１ａを切断してブロック体３１を第２挟持板材３０から取り外す、又はブロック体３１をペンチなどを用いて引っ張り、係合孔内のバンド部材１１のバンド部１１ａの係合状態を解除させて、第２挟持板材３０からブロック体３１を取り外すなどの方法が挙げられる。なお、このようにして第２挟持板材３０に取り付けられていたブロック体を取り外す場合、第２挟持板材を新たな封印構造に再利用することも可能ではあるが、表記用板材は再利用し難くなる。
【００２８】
次に、本発明の建物用点検口の開閉作業の管理方法の一実施例として、封印構造１０を利用して天井点検口１の開口作業又は閉塞作業が行なわれているか否かを確認し、管理する建物用点検口の開閉作業の管理方法について説明すると、封印構造１０により封印されている点検口１の封印構造１０を破壊し、開口して天井裏の設備、器材などの保守、点検を行う際に、作業員に開口する点検口の箇所を確認すると共に、保守、点検が終わった後、再び点検口を封印するために、上記封印用セット４０の第１挟持板材のみを備えてなく、ブロック体３１が第２挟持板材３０’の板材本体３２の一面に固設されていてもよく、第２挟持板材３０’とは別体として備えられていてもよい再封印用セットを各点検口ごとに用意する。そして、各点検口を特定できるように各再封印用セットごとに異なる情報（記号、文字及び／又は番号）を記載した表記用板材３３、３３の一方を第２挟持板材３０’の板材本体３２から取り離して、開口作業、閉塞作業を行う天井点検口を特定する情報として管理者が控えてその天井点検口を開口することを確認、管理する。そして、作業員が対象とする天井点検口１の封印構造１０を破壊する際に、第１挟持板材２０はそのまま外枠４に止着したままで外枠４の裏側フランジ４ｃ上に載置しておくと共に、その破壊した封印構造１０の情報（記号、文字及び／又は番号）が記載された第２挟持板材３０（板材本体３２）を取得する。そして、ロック手段７のロックを解除して天井点検口１を開口させて作業を終了した後、再度、その天井点検口１の開口部３を蓋体６によって閉塞すると共に、外枠４の裏側フランジ４ｃ上に載置しておいた第１挟持板材２０と他方の表記用板材３３を第２挟持板材３０’の板材本体３２から取り離した再封印用セットを用いて上述したように封印構造１０を新たに作製して、天井点検口１を再封印し、ロック手段７により閉塞状態を保持した後、管理者に破壊した封印構造１０の情報（記号、文字及び／又は番号）が記載された第２挟持板材３０（板材本体３２）、再封印用セットの他方の表記用板材３３を渡して、特定された天井点検口１を開口し、保守点検作業などを行った後、閉塞、封印したことを確認、管理する。このようにして作業を行う点検口を特定することによって、部外者や振動などにより開口された点検口の有無を確認することができ、また、保守、点検作業などを確認し、管理することもできる。なお、表記用板材が１枚であれば、例えば、再封印用セットを管理者が作業員に渡す際に、それに記載された情報を控えておき、作業員が封印構造を作製する際に、表記用板材を取り離し、管理者に作業終了の報告の際に表記用板材を渡し、所定の建物用点検口の開閉作業が実施されたことを確認するというような方法も例示することができる。
【００２９】
次に、図５により本発明の建物用点検口の封印構造の他の実施例として、建物用点検口が外枠、内枠を備えた壁点検口である封印構造を説明する。図５は、壁点検口の封印構造１０’の概略横断面図であり、図中１’は、封印構造１０’によって封印された壁点検口であり、封印構造１０’は、図１に示した上記一実施例の天井点検口１の外枠４、内枠５の立上がり板部４ｂ、５ｂに代えて、それぞれ壁体２’、蓋体６の高さと同じである立上がり板部４ｂ’、５ｂ’、表側フランジ４ａ、５ａに代えてこれらよりも幅が狭い表側フランジ４’ａ、５’ａ、裏側フランジ４ｃに代えて壁体２’側に向けて屈曲させた裏側フランジ４’ｃ、立上り板部５ｂ’の裏側端を蓋体６側に向けて屈曲させた裏側フランジ５’ｃを備え、外枠４’の表側フランジ４’ａと内枠５’の表側フランジ５’ａとの間には、隙間ａが形成され、外枠４’の立上り板部４’ｂと内枠５’の立上り板部５’ｂとの間は空隙ｂ’があり、外枠４’の裏側フランジ４’ｃと内枠５’の裏側フランジ５’ｃとの間には隙間ｃ’が形成されている。そして、このような構成の壁点検口１’を封印する封印構造１０’は、図１に示した上記一実施例の第１挟持板材２０、第２挟持板材３０、バンド部材１１に代えて、挿通孔２０ａが開設された平面部２１からなる第１挟持板材２０’、バンド案内孔３０’ａが開設され、係合孔３１ａが開設されたブロック体３１が一面に固設された板材本体３２’が表側フランジ４’ａ、５’ａの大きさと同等の大きさに形成された第２挟持板材３０”、係合部列１１”ｃを備え、立上り板部４’ｂ、立上り板部５’ｂの高さに合わせて長さを短くしたバンド部１１”ａとヘッド部１１”ｂとからなるバンド部材１１”により構成されている以外は、上記の一実施例の封印構造１０と同様である。なお、この封印構造１０’も図示しない表記用板材を備えている。そして、この封印構造１０’によっても上記一実施例の封印構造１０と同様にして建物用点検口の開閉作業の管理を行うことができる。
【００３０】
なお、本発明の建物用点検口の封印構造、建物用点検口の開閉作業の管理方法、建物用点検口の封印用セットは、上記実施例に限定されるものではなく、上記実施例に係る建物用点検口の封印構造、建物用点検口の開閉作業の管理方法、建物用点検口の封印用セットは、本発明の要旨を逸脱しない範囲で適宜変更することができ、例えば、建物用点検口の封印構造の上記実施例では、いずれも外枠、内枠を備え、それぞれ表側フランジ、裏側フランジを有する建物用点検口の封印構造を示したが、上述したように、表側フランジ、裏側フランジがない建物用点検口であれば、開口部の縁部近傍と蓋体の縁部近傍とを第１挟持板材、第２挟持板材によって挟持するような構成とすることもでき、また、上記一実施例では、天井点検口に係止爪をロック軸の回動によって外枠に係止させるロック手段が設けられていたが、点検口の構成は特に制限されず、他のロック手段を設けたものであってもよく、更にまた、例えば、建物用点検口が壁点検口であれば、ロック手段が設けられていないものであっても良く、本発明の建物用点検口の封印構造、建物用点検口の開閉作業の管理方法、建物用点検口の封印用セットは、本発明の要旨を逸脱しない限り、種々の構成を採用することができる。
【符号の説明】
【００３１】
１  天井点検口（建物用点検口）
１’  壁点検口（建物用点検口）
３  開口部
４、４’  外枠
４ａ、４’ａ  表側フランジ
４ｂ、４’ｂ  立上り板部
４ｃ、４’ｃ  裏側フランジ
５、５’  内枠
５ａ、５’ａ  表側フランジ
５ｂ、５’ｂ  立上り板部
５ｃ、５’ｃ  裏側フランジ
６  蓋体
７  ロック手段
１０、１０’  封印構造
１１、１１”  バンド部材
１１’  封印用バンド部材
１１ａ、１１’ａ、１１”ａ  バンド部
１１ｂ、１１”ｂ  ヘッド部
１１ｃ、１１’ｃ、１１”ｃ  係合部列
２０、２０’  第１挟持板材
２０ａ  挿通孔
２１  平面部
２２、２３  折り曲げ部
２２ａ  先端面
３０、３０’、３０”  第２挟持板材
３０ａ、３０’ａ  バンド案内孔
３１  ブロック体
３１ａ  係合孔
３２、３２’  板材本体
３３  表記用板材
４０  封印用セット
【図１】
0006369723.tif 000002
【図２】
0006369723.tif 000003
【図３】
0006369723.tif 000004
【図４】
0006369723.tif 000005
【図５】
0006369723.tif 000006
【図６】
0006369723.tif 000007